(57)【要約】【課題】従来の遊技機とは異なる方法で、より簡易的に筐体扉の開閉を検知して、不正行為を未然に防止できる遊技機を提供することである。【解決手段】パチスロ１は、フロントドア９に設けられたジャイロスコープ１５０により、フロントドア９が開閉する際の回動角度を検知し、検知したフロントドア９の回動角度に基づき、フロントドア９の開閉状態を判断し、さらに、フロントドア９が開状態であると判断した場合に、スピーカー２１により外部に報知する。【選択図】図２
2010099404.tif 000002
【特許請求の範囲】
【請求項１】
開口部を有する筐体と、
前記筐体に取り付けられ、回動することにより当該筐体の前記開口部を開閉する筐体扉と、
前記筐体扉に設けられ、当該筐体扉の回動角度を検知するジャイロスコープと、
前記ジャイロスコープにより検知された前記筐体扉の回動角度に基づいて、当該筐体扉の開閉状態を判断する開閉状態判断部と、
前記筐体扉が開状態である旨を外部に報知する報知部と、
前記開閉状態判断部により前記筐体扉が開状態であると判断された場合に、前記報知部に報知させる報知制御部と、を備えたことを特徴とする遊技機。
【請求項２】
前記ジャイロスコープは、電圧を加えると所定方向に振動する圧電振動体を有しており、前記筐体扉が開閉する動作において当該圧電振動体に加わる外力を検出することにより、前記筐体扉の回動角度を検知する振動型ジャイロスコープであることを特徴とする請求項１に記載の遊技機。
【請求項３】
前記ジャイロスコープは、回転軸と当該回転軸を中心に回転する回転体とを有しており、前記筐体扉が開閉する動作において当該回転体に加わる外力を検出することにより、前記筐体扉の回動角度を検知する回転型ジャイロスコープであることを特徴とする請求項１に記載の遊技機。
【請求項４】
前記ジャイロスコープは、前記筐体扉の開閉に基づき回動し、
前記開閉状態判断部は、前記ジャイロスコープの回動動作に基づき、所定の位置からの当該ジャイロスコープの回動角度を算出し、算出した当該回動角度が所定の角度に達した場合に、前記筐体扉が開状態であると判断することを特徴とする請求項１ないし３の何れか１項に記載の遊技機。
【発明の詳細な説明】
【技術分野】
【０００１】
本発明は、スロットマシンやパチンコ機などの遊技機に関し、特に遊技機の筐体扉が開閉したことを検知する機構を備えた遊技機に関する。
【背景技術】
【０００２】
従来、複数の図柄がそれぞれの表面に配された複数のリールと、遊技メダルやコインなど（以下、メダルなど）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチおよびストップスイッチにより出力された信号に基づいて、ステッピングモータの動作を制御し、各リールの回転およびその停止を行うリール制御部と、を備え、スタートレバーが操作されたことを検出すると、乱数値に基づいて抽籤を行い、この抽籤の結果（以下、「内部当籤役」という）とストップボタンが操作されたことを検出したタイミングとに基づいてリールの回転の停止を行う、パチスロ機と呼ばれる遊技機が知られている。
【０００３】
このような遊技機は、例えば、不正行為者が遊技機の管理者に無断で遊技の設定を変更するため、筐体内に収容された種々の機構を不正に動作させる犯罪が行われる場合がある。
【０００４】
前述した様な不正行為を防止するため、特許文献１には、開閉検知センサにより筐体扉の開閉状態を検知し、且つ開放角度検知センサにより筐体扉の開放角度が所定の角度に達しない状態が所定時間以上継続したことを検知した場合に、異常開放状態であると判断して、警報を発令する遊技機の筐体構造が開示されている。
【０００５】
また、特許文献２には、筐体扉の開閉状態を検知するドアセンサとその保護構造が開示されている。
【０００６】
さらに、特許文献３には、筐体扉の開閉状態を検知するセンサと、電源部の出力をオンオフする電源スイッチと、を有し、電源スイッチがオフにされ、且つセンサにより筐体扉が開状態であると検知した場合は、電源部の出力をオフとする一方、センサにより筐体扉が閉状態であると検知した場合は、電源部の出力をオフとしない制御回路を備えた遊技機が開示されている。
【０００７】
しかしながら、特許文献１ないし３に開示された発明は、筐体扉の開閉状態を検知するセンサを設ける場所が制限されたり、或いは、開閉状態を検知する仕組みが複雑であったりする。
【特許文献１】特開２００４−３２９６４９号公報
【特許文献２】特開２００１−０３７９４８号公報
【特許文献３】特開２００５−１３７８１７号公報
【発明の開示】
【発明が解決しようとする課題】
【０００８】
本発明の目的は、特許文献１ないし３に開示された従来の遊技機とは異なる方法で、より簡易的に筐体扉の開閉を検知して、不正行為を未然に防止できる遊技機を提供することである。
【課題を解決するための手段】
【０００９】
本発明に係る遊技機は、上記目的を達成するために以下のようないくつかの特徴を有している。すなわち、本発明の遊技機は、以下の特徴を単独で、もしくは適宜組み合わせて備えている。
【００１０】
上記目的を達成するために、本発明に係る遊技機は、開口部を有する筐体と、筐体に取り付けられ、回動することにより当該筐体の開口部を開閉する筐体扉と、筐体扉に設けられ、当該筐体扉の回動角度を検知するジャイロスコープと、ジャイロスコープにより検知された筐体扉の回動角度に基づいて、当該筐体扉の開閉状態を判断する開閉状態判断部と、筐体扉が開状態である旨を外部に報知する報知部と、開閉状態判断部により筐体扉が開状態であると判断された場合に、報知部に報知させる報知制御部と、を備えたことを特徴とする。
【００１１】
上記の構成によれば、遊技機の筐体扉に設けられたジャイロスコープにより、筐体扉が開閉する際の回動角度が検知され、検知された筐体扉の回動角度に基づき、開閉状態判断部により筐体扉の開閉状態が判断される。さらに、開閉状態判断部により、筐体扉が開状態であると判断された場合に、報知部により外部に報知される。これにより、例えば不正行為者が、遊技機の管理者に無断で遊技の設定を変更するために筐体扉を開けた場合、報知部により外部に報知することができる。このように、不正行為者が筐体扉を開けるだけで外部に報知されるため、不正行為を未然に防止することができる。また、ジャイロスコープは、設けられた設置面の傾きや移動などの際に生じる外力が加わることにより、その動作を検知できるため、筐体扉の面内であればどこに設置していてもよい。そのため、簡易的に不正行為を防止することができる。さらに、例えば筐体内部側の筐体扉に設置することにより、外部からの操作を防止することができるため、セキュリティ面も安全である。
【００１２】
また、本発明に係る遊技機において、ジャイロスコープは、電圧を加えると所定方向に振動する圧電振動体を有しており、筐体扉が開閉する動作において当該圧電振動体に加わる外力を検出することにより、筐体扉の回動角度を検知する振動型ジャイロスコープであってもよい。
【００１３】
上記の構成によれば、振動型ジャイロスコープを用いて筐体扉の動作を検知することができる。これにより、モーターやベアリングなどの複数の部品を必要としないため、小スペースであり、且つ安価に不正行為を防止することができる。
【００１４】
また、本発明に係る遊技機において、ジャイロスコープは、回転軸と当該回転軸を中心に回転する回転体とを有しており、前記筐体扉が開閉する動作において当該回転体に加わる外力を検出することにより、前記筐体扉の回動角度を検知する回転型ジャイロスコープであってもよい。
【００１５】
上記の構成によれば、回転型ジャイロスコープを用いて筐体扉の動作を検知することができる。これにより、例えば大きくて重い回転体を用いることにより、ジャイロスコープの検出感度をより高くすることができるため、正確に不正行為を防止することができる。
【００１６】
また、本発明に係る遊技機において、ジャイロスコープは、筐体扉の開閉に基づき回動し、開閉状態判断部は、ジャイロスコープの回動動作に基づき、所定の位置からの当該ジャイロスコープの回動角度を算出し、算出した当該回動角度が所定の角度に達した場合に、筐体扉が開状態であると判断していてもよい。
【００１７】
上記の構成によれば、開閉状態判断部により、筐体扉の開閉動作に基づき回動したジャイロスコープの所定の位置からの回動角度が算出される。さらに、算出されたジャイロスコープの回動角度がある所定の角度に達した場合に、筐体扉が開状態であると判断され、報知部により外部に報知される。これにより、報知する所定の角度を、不正行為を行うことが不可能な角度に設定しておくことで、不正行為が行われるために筐体扉が開状態となった場合は報知する一方で、遊技機のガタつきや遊技中の衝撃で筐体扉が多少開状態となった場合は報知せずに済むことができる。このように、不正行為が行われる場合のみ報知することができるため、他の遊技者の遊技の邪魔にならずに済むことができる。
【発明の効果】
【００１８】
本発明の遊技機によれば、例えば不正行為者が、遊技機の管理者に無断で遊技の設定を変更するために筐体扉を開けた場合、報知部により外部に報知することができる。このように、不正行為者が筐体扉を開けるだけで外部に報知されるため、不正行為を未然に防止することができる。また、ジャイロスコープは、設けられた設置面の傾きや移動などの際に生じる外力が加わることにより、その動作を検知できるため、筐体扉の面内であればどこに設置していてもよい。そのため、簡易的に不正行為を防止することができる。さらに、例えば筐体内部側の筐体扉に設置することにより、外部からの操作を防止することができるため、セキュリティ面も安全である。
【発明を実施するための最良の形態】
【００１９】
（パチスロの機能フロー）
本発明の遊技機に係る実施の形態について、以下図面を参照しながら説明する。はじめに、図１を参照して、本実施の形態における遊技機（以下、パチスロ１と呼称する）の機能フローについて説明する。
【００２０】
遊技者によりメダルが投入され、スタートレバー６が操作されると、予め定められた数値の範囲（例えば、０〜６５５３５）の乱数から１つの値（以下、乱数値）が抽出される。
【００２１】
内部抽籤手段は、抽出された乱数値に基づいて抽籤を行い、内部当籤役を決定する。内部当籤役の決定により、後述の入賞判定ライン８に沿って表示を行うことを許可する図柄の組合せが決定される。尚、図柄の組合せの種別としては、メダルの払い出し、再遊技の作動、ボーナスの作動などといった特典が遊技者に与えられる「入賞」に係るものと、それ以外のいわゆる「ハズレ」に係るものとが設けられている。
【００２２】
続いて、複数のリール３（左リール３Ｌ、中リール３Ｃ、右リール３Ｒ）の回転が行われた後で、遊技者によりストップボタン７（左ストップボタン７Ｌ、中ストップボタン７Ｃ、右ストップボタン７Ｒ）が押されると、リール停止制御手段は、内部当籤役とストップボタン７が押されたタイミングとに基づいて、該当するリール３の回転を停止する制御を行う。
【００２３】
ここで、パチスロ１では、基本的に、ストップボタン７が押されたときから規定時間（１９０ｍｓｅｃ）内に、該当するリール３の回転を停止する制御が行われる。本実施の形態では、上記規定時間内でのリール３の回転に伴って移動する図柄の数を「滑り駒数」と呼び、その最大数を図柄４個分に定める。
【００２４】
リール停止制御手段は、入賞に係る図柄の組合せの表示を許可する内部当籤役が決定されているときでは、上記規定時間を利用して、その図柄の組合せが入賞判定ライン８に沿って極力表示されるようにリール３の回転を停止する。その一方で、内部当籤役によってその表示が許可されていない図柄の組合せについては、上記規定時間を利用して、入賞判定ライン８に沿って表示されることがないようにリール３の回転を停止する。
【００２５】
こうして、複数のリール３の回転がすべて停止されると、入賞判定手段は、入賞判定ライン８に沿って表示された図柄の組合せが、入賞に係るものであるか否かの判定を行う。入賞に係るものであるとの判定が行われると、メダルの払い出しなどの特典が遊技者に与えられる。以上のような一連の流れがパチスロ１における１回の遊技として行われる。
【００２６】
また、パチスロ１では、前述した一連の流れの中で、液晶表示装置１８により行う映像の表示、各種ランプにより行う光の出力、スピーカー２１により行う音の出力、或いはこれらの組合せを利用して様々な演出が行われる。
【００２７】
遊技者によりスタートレバー６が操作されると、前述の内部当籤役の決定に用いられた乱数値とは別に、演出用の乱数値（以下、演出用乱数値）が抽出される。演出用乱数値が抽出されると、演出内容決定手段は、内部当籤役に対応づけられた複数種類の演出内容の中から今回実行するものを抽籤により決定する。
【００２８】
演出内容が決定されると、演出実行手段は、リール３の回転が開始されるとき、各リール３の回転がそれぞれ停止されるとき、入賞の有無の判定が行われたとき等の各契機に連動させて演出の実行を進める。このように、パチスロ１では、内部当籤役に対応づけられた演出内容を実行することによって、決定された内部当籤役（言い換えると、狙うべき図柄の組合せ）を知る或いは予想する機会が遊技者に提供され、遊技者の興味の向上が図られる。
【００２９】
また、パチスロ１では、フロントドア９が開閉された場合に、開閉検知手段により検知され、フロントドア９が開状態であるか、或いは閉状態であるかが判断される。具体的には、開閉動作検知手段により、フロントドア９が開閉する際の回動角度が検知され、検知されたフロントドア９の回動角度に基づき、開閉状態判断手段によりフロントドア９の開閉状態が判断される。
【００３０】
また、開閉状態判断手段によりフロントドア９が開状態であると判断された場合、報知制御手段の制御により報知手段からその旨が外部に報知される。一方、開閉状態判断手段によりフロントドア９が閉状態であると判断された場合、報知制御手段の制御により報知手段からの報知が停止される。なお、開閉状態判断手段によりフロントドア９が開状態であると判断された後、所定時間のカウントが開閉状態判断手段によりなされ、当該カウントが終了した場合に、報知制御手段の制御により報知手段からの報知が停止される。
【００３１】
さらに、後述するキースイッチ３００から図示しないキーが挿入・回動された場合、信号受信停止手段の制御に基づき、報知制御手段は開閉検知手段からの信号受信を停止するようになっている。
【００３２】
［パチスロの構造］
パチスロ１の機能フローについての説明は以上である。次に、図２を参照して、本実施の形態におけるパチスロ１の構造について説明する。
【００３３】
＜パチスロの外部構造＞
図２は、本実施の形態におけるパチスロ１の外部構造を示す。
【００３４】
（リールと表示窓）
パチスロ１は、リール３や回路基板等を収容するキャビネット２と、キャビネット２に対して開閉可能に取り付けられるフロントドア９とを備える。キャビネット２の内部には、３つのリール３（左リール３Ｌ、中リール３Ｃ、右リール３Ｒ）が横並びに設けられている。各リール３は、円筒状のフレームの周面に、複数の図柄（例えば２１個）が回転方向に沿って連続的に配された帯状のシートを貼り付けて構成されている。
【００３５】
フロントドア９の中央には、液晶表示装置１８が設けられている。液晶表示装置１８は、図柄表示領域を含む表示画面を備え、正面から見て３つのリール３に重畳する手前側に位置するように設けられている。図柄表示領域は、３つのリール３のそれぞれに対応して設けられており、その背後に設けられたリール３を透過することが可能な構成を備えている。
【００３６】
つまり、図柄表示領域は、表示窓としての機能を果たすものであり、その背後に設けられたリール３の回転およびその停止の動作が遊技者側から視認可能となる。また、本実施の形態では、図柄表示領域を含めた表示画面の全体を使って、映像の表示が行われ、演出が実行される。
【００３７】
図柄表示領域（以下、表示窓（左表示窓４Ｌ・中表示窓４Ｃ・右表示窓４Ｒ））は、その背後に設けられたリール３の回転が停止されたとき、リール３の表面に配された複数種類の図柄のうち、その枠内における上段、中段および下段の各領域にそれぞれ１個の図柄（合計で３個）を表示する。また、各表示窓（左表示窓４Ｌ・中表示窓４Ｃ・右表示窓４Ｒ）が有する上段、中段および下段からなる３つの領域のうち予め定められた何れかをそれぞれ組合せてなる擬似的なラインを、入賞か否かの判定を行う対象となるライン（入賞判定ライン８）として定義する。
【００３８】
本実施の形態では、各表示窓の上段を組合せてなるトップライン、各表示窓の中段を組合せてなるセンターライン、各表示窓の下段を組合せてなるボトムライン、左表示窓４Ｌの上段、中表示窓４Ｃの中段および右表示窓４Ｒの下段を組合せてなるクロスダウンライン、左表示窓４Ｌの下段、中表示窓４Ｃの中段および右表示窓４Ｒの上段を組合せてなるクロスアップラインの５つを入賞判定ライン８として設けている。
【００３９】
（操作装置）
フロントドア９には、遊技者による操作の対象となる各種装置が設けられている。メダル投入口２２は、遊技者によって外部から投下されるメダルを受け入れるために設けられる。メダル投入口２２に受け入れられたメダルは、所定枚数（例えば３枚）を上限として１回の遊技に投入されることとなり、所定枚数を超えた分はパチスロ内部に預けることが可能となる（いわゆるクレジット機能）。
【００４０】
ベットボタン１２は、パチスロ内部に預けられているメダルから１回の遊技に投入する枚数を決定するために設けられる。精算ボタン１４は、パチスロ内部に預けられているメダルを外部に引き出すために設けられる。
【００４１】
スタートレバー６は、全てのリール３の回転を開始するために設けられる。ストップボタン７は、３つのリール３のそれぞれに対応づけられ、対応するリール３の回転を停止するために設けられる。
【００４２】
（その他装置）
７セグ表示器１７は、７セグメントＬＥＤからなり、今回の遊技に投入されたメダルの枚数（以下、投入枚数）、特典として遊技者に対して払い出すメダルの枚数（以下、払出枚数）、パチスロ内部に預けられているメダルの枚数（以下、クレジット枚数）などの情報を遊技者に対してデジタル表示する。
【００４３】
ランプ２９（ＬＥＤ等）は、演出内容に応じた点消灯のパターンにて光を出力する。スピーカー２１は、演出内容に応じた効果音や楽曲等の音を出力する。また、本実施の形態の場合、フロントドア９が所定角度以上開けられた場合に、スピーカー２１から外部に警告音が出力されるようになっている。メダル排出口１５は、後述のメダル払出装置４０の駆動により排出されるメダルを外部に導く。メダル排出口１５から排出されたメダルは、メダル受皿１６に貯められる。
【００４４】
また、キャビネット２の側面側の上方には、キースイッチ３００が設けられており、図示しないキーを挿入・回動できるようになっている。この場合、フロントドア９が開けられた場合でも、スピーカー２１から警告音が出力されないようになっている。これにより、パチスロ１の管理者は、キースイッチ３００にキーを挿入・回動することでスピーカー２１から警告音が出力されずに、自由にフロントドア９を開けることができる。一方、不正行為者は、キーを持っていないためにキースイッチ３００にキーを挿入・回動することができず、フロントドア９を不正に開けた場合、スピーカー２１から警告音が出力されるようになっている。
【００４５】
＜パチスロの内部構造＞
また、図２に、本実施の形態におけるパチスロ１の内部構造を示す。フロントドア９が開放され、フロントドア９の裏面側の構造およびキャビネット内部の構造が現れた状態が示されている。
【００４６】
キャビネット内部の上方には、主制御回路７１を構成する基板（以下、主基板）が設けられている。主制御回路７１は、内部当籤役の決定、リール３の回転および停止、入賞の有無の判定といった、パチスロ１における遊技の主な流れを制御する回路である。主制御回路７１の具体的な構成は後述する。
【００４７】
キャビネット内部の中央には、３つのリール３が設けられている。各リール３のそれぞれには、所定の減速比をもったギアを介してステッピングモータ４９が接続されている。
【００４８】
３つのリール３の左側には、副制御回路７２を構成する基板（以下、副基板）が設けられている。副制御回路７２は、映像の表示等による演出の実行を制御する回路である。副制御回路７２の具体的な構成は後述する。
【００４９】
キャビネット内部の下方には、多量のメダルを収容可能で、それらを１枚ずつ排出可能な構造を有するメダル払出装置（以下、ホッパー４０）が設けられている。ホッパー４０の左側には、パチスロ１が有する各装置に対して必要な電力を供給するための電源装置５０が設けられている。
【００５０】
フロントドア裏側の中央、表示窓（左表示窓４Ｌ・中表示窓４Ｃ・右表示窓４Ｒ）の下方には、セレクタが設けられている。セレクタは、材質や形状等が適正であるメダルか否かを選別する装置であり、メダル投入口２２に受け入れられた適正なメダルをホッパー４０へ案内する。尚、セレクタ内においてメダルが通過する経路上には、後述のメダルセンサ２２Ｓが設けられており、適正なメダルが通過したことを検出する。
【００５１】
フロントドア裏側の上方に形成された水平面台５には、開閉検知装置１００が水平を保って設けられている。前述したように、本実施の形態のパチスロ１は、この開閉検知装置１００より、フロントドア９の開閉が検知され、さらにフロントドア９が開状態のまま所定時間経過した場合に、警告音がスピーカー２１から出力される。
【００５２】
これにより、例えば不正行為者が、パチスロ１の管理者に無断で遊技の設定を変更するためにフロントドア９を開けた場合、スピーカー２１により外部に報知することができる。このように、不正行為者がフロントドア９を開けるだけで外部に報知されるため、不正行為を未然に防止することができる。
【００５３】
（開閉検知センサの構成）
図３は、本実施の形態の開閉検知装置１００内の図示しない開閉検知センサ２００の拡大図である。図３に示すように、開閉検知センサ２００は、水平面台５と水平（Ｘ−Ｙ平面に水平）となるように、水平面台５上に設置されている。本実施の形態のジャイロスコープ１５０は振動型ジャイロスコープであり、その検出部となる開閉検知センサ２００は、圧電振動体２０１と、駆動用圧電素子２０１ａ・２０１ｃ（図示せず）と、検出用圧電素子２０１ｂ（図示せず）・２０１ｄと、を有する。
【００５４】
本実施の形態の圧電振動体２０１は、高い弾性を有する水晶から成り、水平面台５の垂直方向（Ｚ軸方向）が長辺となる直方体の形状を有している。駆動用圧電素子２０１ａおよび２０１ｃの夫々は、圧電振動体２０１の互いに対向する面に夫々取付けられている。また、検出用圧電素子２０１ｂおよび２０１ｄの夫々は、圧電振動体２０１の互いに対向する面に夫々取付けられている。
【００５５】
図４および図５は、フロントドア９が完全に閉まりきった状態での開閉検知センサ２００の態様を模式的に示した図である。なお、図４および図５に示されるように、完全に閉まりきった状態にあるフロントドア９の位置を”閉状態位置”と称す。
【００５６】
図４に示すように、フロントドア９が閉状態時において、開閉検知センサ２００を有する開閉検知装置１００は、キャビネット２の長辺方向と平行（Ｘ軸方向に平行）となるように、水平面台５上に設置されている。
【００５７】
図５（ａ）は、開閉検知センサ２００をフロントドア９の正面から視た（Ｙ軸方向へ視た）図である。フロントドア９が閉状態位置である時、図５（ａ）に示すように、開閉検知センサ２００は駆動用圧電素子２０１ａ・２０１ｃ間に加えられた電圧により、Ｘ軸方向のみに振動している。具体的には、駆動用圧電素子２０１ａ・２０１ｃ間に大きさが周期的に変化する電位差を加えることにより、駆動用圧電素子２０１ａ・２０１ｃが歪み、その歪みによって圧電振動体２０１が振動する。
【００５８】
図５（ｂ）は、開閉検知センサ２００をフロントドア９の上面から視た（Ｚ軸方向から視た）図である。図５（ｂ）に示すように、フロントドア９が閉状態位置である時、圧電振動体２０１は、Ｘ軸方向にＦ´の力が加えられて振動する。
【００５９】
次に、図６および図７は、フロントドア９が回動角度Θだけ開けられた状態の開閉検知センサ２００の態様を模式的に示した図である。
【００６０】
図６に示すように、フロントドア９が開状態時において、開閉検知センサ２００を有する開閉検知装置１００は、角度Θだけ角速度Ωで回動している。
【００６１】
図７は、開閉検知センサ２００をフロントドア９の上面から視た（Ｚ軸方向から視た）図である。図７に示すように、開閉検知装置１００が角速度Ωで回動して図６に示した状態に位置する時、−Ｙ´軸方向に外力であるコリオリの力Ｆが圧電振動体２０１に加えられる。ここで、コリオリのカとは、物体が回転座標系上で移動した際に移動方向と垂直な方向に移動速度に比例した大きさで受ける慣性力の一種である。このコリオリの力Ｆにより、圧電振動体２０１が−Ｙ´軸方向に歪み、この歪みにより、検出用圧電素子２０１ｂ・２０１ｄに電位差が生じ、この電位差を、フロントドア９が回動することにより圧電振動体に生じたコリオリの力として検出する。この検出したコリオリの力を用いて、図１０で後述する各種回路により、フロントドア９の回動角度を算出し、フロントドア９の開閉状態を判断する。
【００６２】
このように、本実施の形態のジャイロスコープ１５０は、振動型ジャイロスコープを用いてフロントドア９の動作を検知することができる。これにより、モーターやベアリングなどの複数の部品を必要としないため、小スペースであり、且つ安価に不正行為を防止することができる。
【００６３】
［パチスロが備える回路の構成］
パチスロ１の構造についての説明は以上である。次に、図８を参照して、本実施の形態におけるパチスロ１が備える回路の構成について説明する。本実施の形態におけるパチスロ１は、主制御回路７１、副制御回路７２およびこれらと電気的に接続する周辺装置（アクチュエータ）を備える。
【００６４】
＜主制御回路＞
図８は、本実施の形態におけるパチスロ１の主制御回路７１の構成を示す。
【００６５】
（マイクロコンピュータ）
主制御回路７１は、回路基板上に設置されたマイクロコンピュータ３０を主たる構成要素としている。マイクロコンピュータ３０は、ＣＰＵ（以下、メインＣＰＵ３１）、ＲＯＭ（以下、メインＲＯＭ３２）およびＲＡＭ（以下、メインＲＡＭ３３）により構成される。
【００６６】
メインＲＯＭ３２には、メインＣＰＵ３１により実行される制御プログラム、内部抽籤テーブルなどのデータテーブル、副制御回路７２に対して各種制御指令（コマンド）を送信するためのデータなどが記憶されている。メインＲＡＭ３３には、制御プログラムの実行により決定された内部当籤役などの各種データを格納する格納領域が設けられる。
【００６７】
（乱数発生器など）
メインＣＰＵ３１には、クロックパルス発生回路３４、分周器３５、乱数発生器３６およびサンプリング回路３７が接続されている。クロックパルス発生回路３４および分周器３５は、クロックパルスを発生する。メインＣＰＵ３１は、発生されたクロックパルスに基づいて、制御プログラムを実行する。乱数発生器３６は、予め定められた範囲の乱数（例えば、０〜６５５３５）を発生する。サンプリング回路３７は、発生された乱数の中から１つの値を抽出する。
【００６８】
（スイッチなど）
マイクロコンピュータ３０の入力ポートには、スイッチなどが接続されている。メインＣＰＵ３１は、スイッチなどの入力を受けて、ステッピングモータ４９（４９Ｌ、４９Ｃ、４９Ｒ）などの周辺装置の動作を制御する。ストップスイッチ７Ｓは、３つのストップボタン７（７Ｌ、７Ｃ、７Ｒ）のそれぞれが遊技者により押圧されたこと（停止操作）を検出する。また、スタートスイッチ６Ｓは、スタートレバー６が遊技者により操作されたこと（開始操作）を検出する。
【００６９】
メダルセンサ２２Ｓは、メダル投入口２２に受け入れられたメダルがセレクタ内を通過したことを検出する。また、ベットスイッチ１２Ｓは、ベットボタン１２が遊技者により押圧されたことを検出する。また、精算スイッチ１４Ｓは、精算ボタン１４が遊技者により押されたことを検出する。
【００７０】
キーセンサ３００Ｓは、キースイッチ３００からキーが挿入・回動されたことを検出する。
【００７１】
（周辺装置および回路）
マイクロコンピュータ３０により動作が制御される周辺装置としては、ステッピングモータ４９（４９Ｌ、４９Ｃ、４９Ｒ）、７セグ表示器１７およびホッパー４０がある。また、マイクロコンピュータ３０の出力ポートには、各周辺装置の動作を制御するための回路が接続されている。
【００７２】
モータ駆動回路３９は、各リール３に対応して設けられたステッピングモータ４９の駆動を制御する。リール位置検出回路４７は、発光部と受光部とを有する光センサにより、リール３が一回転したことを示すリールインデックスを各リール３に応じて検出する。
【００７３】
ステッピングモータ４９は、運動量がパルスの出力数に比例し、回転軸を指定された角度で停止させることが可能な構成を備えている。ステッピングモータ４９）の駆動力は、所定の減速比をもったギアを介してリール３に伝達される。ステッピングモータ４９に対して１回のパルスが出力されるごとに、リール３は一定の角度で回転する。
【００７４】
メインＣＰＵ３１は、リールインデックスを検出してからステッピングモータ４９に対してパルスを出力した回数をカウントすることによって、リール３の回転角度（主に、リール３が図柄何個分だけ回転したか）を管理し、リール３の表面に配された各図柄の位置を管理するようにしている。
【００７５】
表示部駆動回路４８は、７セグ表示器１７の動作を制御する。また、ホッパー駆動回路４１は、ホッパー４０の動作を制御する。また、払出完了信号回路４４は、ホッパー４０に設けられたメダル検出部４０Ｓが行うメダルの検出を管理し、ホッパー４０から外部に排出されたメダルが払出枚数に達したか否かをチェックする。
【００７６】
＜副制御回路＞
図９は、本実施の形態におけるパチスロ１の副制御回路７２の構成を示す。
【００７７】
副制御回路７２は、主制御回路７１と電気的に接続されており、主制御回路７１から送信されるコマンドに基づいて演出内容の決定や実行などの処理を行う。副制御回路７２は、基本的に、ＣＰＵ（以下、サブＣＰＵ８１）、ＲＯＭ（以下、サブＲＯＭ８２）、ＲＡＭ（以下、サブＲＡＭ８３）、レンダリングプロセッサ８４、描画用ＲＡＭ９０、ドライバ８５、ＤＳＰ８６（デジタルシグナルプロセッサ）、オーディオＲＡＭ８９およびＡ／Ｄ変換器８７およびアンプ８８を含んで構成されている。
【００７８】
サブＣＰＵ８１は、主制御回路７１から送信されたコマンドに応じて、サブＲＯＭ８２に記憶されている制御プログラムに従い、映像、音、光の出力の制御を行う。サブＲＡＭ８３は、決定された演出内容や演出データを登録する格納領域や、主制御回路７１から送信される内部当籤役などの各種データを格納する格納領域が設けられている。サブＲＯＭ８２は、基本的に、プログラム記憶領域とデータ記憶領域によって構成される。
【００７９】
プログラム記憶領域には、サブＣＰＵ８１が実行する制御プログラムが記憶されている。例えば、制御プログラムには、主制御回路７１との通信を制御するための主基板通信タスクや、演出用乱数値を抽出し、演出内容（演出データ）の決定および登録を行うための演出登録タスク、決定した演出内容に基づいて液晶表示装置１８による映像の表示を制御する描画制御タスク、ランプ２９による光の出力を制御するランプ制御タスク、スピーカー２１による音の出力を制御する音声制御タスクなどが含まれる。
【００８０】
データ記憶領域は、各種データテーブルを記憶する記憶領域、各演出内容を構成する演出データを記憶する記憶領域、映像の作成に関するアニメーションデータを記憶する記憶領域、ＢＧＭや効果音に関するサウンドデータを記憶する記憶領域、光の点消灯のパターンに関するランプデータを記憶する記憶領域などが含まれている。
【００８１】
また、副制御回路７２には、その動作が制御される周辺装置として、液晶表示装置１８、スピーカー２１、およびランプ２９が接続されている。
【００８２】
サブＣＰＵ８１、レンダリングプロセッサ８４、描画用ＲＡＭ９０（フレームバッファ９１を含む）およびドライバ８５は、演出内容により指定されたアニメーションデータに従って映像を作成し、作成した映像を液晶表示装置１８により表示する。
【００８３】
また、サブＣＰＵ８１、ＤＳＰ８６、オーディオＲＡＭ８９、Ａ／Ｄ変換器８７およびアンプ８８は、演出内容により指定されたサウンドデータに従ってＢＧＭなどの音をスピーカー２１により出力する。また、サブＣＰＵ８１は、演出内容により指定されたランプデータに従ってランプ２９の点灯および消灯を行う。
【００８４】
さらに、サブＣＰＵ８１は、開閉検知装置１００からフロントドア９が開閉したか否かの情報を含んだ、開情報信号或いは閉情報信号に基づき、スピーカー２１による警告音の発令、或いは停止を行う。即ち、サブＣＰＵ８１は、図１における報知制御手段としての役割を有する。さらに、スピーカー２１は、図１における報知手段としての役割を有する。
【００８５】
また、サブＣＰＵ８１は、キーセンサ３００Ｓからの信号に基づき、主制御回路７１のメインＣＰＵ３１からキー情報信号を受信した場合、開閉検知装置１００からの信号（開情報信号、閉情報信号など）の受信を停止するように制御されている。即ち、メインＣＰＵ３１は、図１における信号受信停止手段としての役割を有する。
【００８６】
＜開閉検知装置の電気構成＞
図１０は、本実施の形態における開閉検知装置１００の電気構成を示す。
【００８７】
図１０に示すように、開閉検知装置１００は、ジャイロスコープ１５０および開閉検知ＣＰＵ１０６から構成される。
【００８８】
ジャイロスコープ１５０は、開閉検知センサ２００、作動増幅器１０１、同期検波回路１０２、フィルタ１０３、増幅器１０４、Ａ／Ｄ変換器１０５、および発信器１０７から構成される。
【００８９】
前述したように、開閉検知センサ２００は、圧電振動体２０１、駆動用圧電素子２０１ａ・２０１ｃ、および検出用圧電素子２０１ｂ・２０１ｄから構成される。駆動用圧電素子２０１ａは、発信器１０７から入力電圧が加えられ、接地された駆動用圧電素子２０１ｃとの電位差により、圧電振動体２０１を振動させる。フロントドア９が回動することにより生じる外力であるコリオリの力が圧電振動体２０１に生じると、圧電振動体２０１の圧電現象により電圧（検知電圧と称する）が生じ、検出用圧電素子２０１ｂ・２０１ｄから作動増幅器１０１に出力される。
【００９０】
作動増幅器１０１は、検出用圧電素子２０１ｂ・２０１ｄからの微少な検知電圧を作動増幅する。増幅された検知電圧は、同期検波回路１０２により同期検波され、フィルタ１０３によりフィルタリングされる。その後、検知電圧は、増幅器１０４により増幅され、Ａ／Ｄ変換器１０５によりデジタル化された検知信号へと変換される。
【００９１】
また、開閉検知ＣＰＵ１０６は、Ａ／Ｄ変換器１０５からの検知信号に基づき、フロントドア９における閉状態位置からの回動角度Θを算出する。その後、開閉検知ＣＰＵ１０６は、算出した回動角度Θに基づき、開閉状態を判断し、サブＣＰＵ８１に開情報信号、或いは閉情報信号を出力する。また、開閉検知ＣＰＵ１０６は、Ａ／Ｄ変換器１０５から検知信号を受信すると同時に、３分間のカウントをし、カウントが終了した場合に、カウント終了信号をサブＣＰＵ８１に送信する。即ち、開閉検知ＣＰＵ１０６は、図１における開閉検知手段としての役割を有する。
【００９２】
上記の構成によれば、パチスロ１のフロントドア９に設けられたジャイロスコープ１５０により、フロントドア９が開閉する際の回動角度が検知され、検知されたフロントドア９の回動角度に基づき、開閉検知ＣＰＵ１０６によりフロントドア９の開閉状態が判断される。さらに、開閉検知ＣＰＵ１０６により、フロントドア９が開状態であると判断された場合に、スピーカー２１により外部に報知される。これにより、例えば不正行為者が、パチスロ１の管理者に無断で遊技の設定を変更するためにフロントドア９を開けた場合、スピーカー２１により外部に報知することができる。このように、不正行為者がフロントドア９を開けるだけで外部に報知されるため、不正行為を未然に防止することができる。また、ジャイロスコープ１５０は、設けられた設置面の傾きや移動などの際に生じる外力が加わることにより、その動作を検知できるため、フロントドア９の面内であればどこに設置していてもよい。そのため、簡易的に不正行為を防止することができる。さらに、例えばキャビネット２内部側のフロントドア９に設置することにより、外部からの操作を防止することができるため、セキュリティ面も安全である。
【００９３】
また、上記の構成により、振動型ジャイロスコープを用いてフロントドア９の動作を検知することができる。これにより、モーターやベアリングなどの複数の部品を必要としないため、小スペースであり、且つ安価に不正行為を防止することができる。
【００９４】
［パチスロにおいて実行されるプログラムフロー］
次に、図１１〜図１４を参照して、主制御回路７１のメインＣＰＵ３１により実行されるプログラムの内容について説明する。
【００９５】
［主制御回路のメインＣＰＵの制御によるメインフローチャート］
まず、図１１を参照して、メインＣＰＵ３１の制御によるメインフローチャートについて説明する。パチスロ１に電源が投入されると、はじめに、メインＣＰＵ３１は、初期化処理を行う（Ｓ１）。次に、メインＣＰＵ３１は、メインＲＡＭ３３における指定格納領域のクリアを行う（Ｓ２）。例えば、内部当籤役格納領域や表示役格納領域等、１回の遊技ごとに消去が必要となる格納領域に格納されたデータがクリアされる。
【００９６】
次に、メインＣＰＵ３１は、後で図１２を参照して説明するメダル受付・スタートチェック処理を行う（Ｓ３）。この処理では、メダルセンサ２２Ｓやスタートスイッチ６Ｓの入力のチェック等が行われる。
【００９７】
次に、メインＣＰＵ３１は、乱数値を抽出し、メインＲＡＭ３３に設けられた乱数値格納領域に格納する（Ｓ４）。次に、メインＣＰＵ３１は、後で図１３を参照して説明する内部抽籤処理を行う（Ｓ５）。この処理では、乱数値に基づいた抽籤により内部当籤役の決定が行われる。次に、メインＣＰＵ３１は、スタートコマンドを副制御回路７２に対して送信する（Ｓ６）。スタートコマンドは、内部当籤役等を特定するパラメータを含んで構成される。
【００９８】
次に、メインＣＰＵ３１は、全メインリールの回転開始を要求する（Ｓ７）。尚、全メインリールの回転開始が要求されると、一定の周期（１．１１７３ｍｓｅｃ）で実行される割込処理によってステッピングモータ４９の駆動が制御され、各リール３の回転が開始される。
【００９９】
次に、メインＣＰＵ３１は、後で図１４を参照して説明するリール停止制御処理を行う（Ｓ８）。この処理では、ストップスイッチ７Ｓの入力のチェックが行われ、ストップボタン（左ストップボタン７Ｌ、中ストップボタン７Ｃ、右ストップボタン７Ｒ）が押されたタイミングと内部当籤役とに基づいて該当リール３の回転が停止される。
【０１００】
次に、メインＣＰＵ３１は、入賞判定ライン８に沿って表示された図柄の組合せを検索し、その結果に基づいて払出枚数等を決定する（Ｓ９）。検索の結果、入賞判定ライン８に沿って表示された図柄の組合せが図柄組合せテーブルにより規定されている図柄の組合せと一致する場合、対応する表示役および払出枚数が決定される。次に、メインＣＰＵ３１は、表示コマンドを副制御回路７２に対して送信する（Ｓ１０）。表示コマンドは、表示役や払出枚数等を特定するパラメータを含んで構成される。
【０１０１】
次に、メインＣＰＵ３１は、メダル払出処理を行う（Ｓ１１）。決定された払出枚数に基づいて、ホッパー４０の駆動やクレジット枚数の更新が行われる。次に、メインＣＰＵ３１は、払出枚数に基づいて、ボーナス終了枚数カウンタを更新する（Ｓ１２）。払出枚数として決定された数値がボーナス終了枚数カウンタから減算される。
【０１０２】
次に、メインＣＰＵ３１は、ボーナス作動中フラグがオンであるか否かを判別する（Ｓ１３）。メインＣＰＵ３１は、ボーナス作動中フラグがオンであると判別したときには、ボーナス終了チェック処理を行う（Ｓ１４）。ボーナスの終了契機を管理するための各種カウンタを参照して、ボーナスの作動を終了するか否かがチェックされる。
【０１０３】
メインＣＰＵ３１は、Ｓ１４の後、または、Ｓ１３においてボーナス作動中フラグがオンではないと判別したときには、ボーナス作動チェック処理を行う（Ｓ１５）。ボーナスの作動を開始するか否かがチェックされる。この処理が終了すると、Ｓ２に移る。
【０１０４】
［メダル受付・スタートチェック処理］
次に、図１２を参照して、メダル受付・スタートチェック処理について説明する。はじめに、メインＣＰＵ３１は、自動投入カウンタは０であるか否かを判別する（Ｓ３１）。自動投入カウンタは０であると判別したときには、メダル通過許可を行う（Ｓ３２）。セレクタのソレノイドの駆動が行われ、セレクタ内のメダルの通過が促される。
【０１０５】
メインＣＰＵ３１は、自動投入カウンタは０ではないと判別したときには、自動投入カウンタを投入枚数カウンタに複写する（Ｓ３３）。次に、メインＣＰＵ３１は、自動投入カウンタをクリアする（Ｓ３４）。Ｓ３３およびＳ３４は再遊技を行うための処理である。
【０１０６】
メインＣＰＵ３１は、Ｓ３２またはＳ３４の後で、投入枚数カウンタの最大値として３をセットする（Ｓ３５）。次に、メインＣＰＵ３１は、ボーナス作動中フラグがオンであるか否かを判別する（Ｓ３６）。メインＣＰＵ３１は、ボーナス作動中フラグがオンであると判別したときには、投入枚数カウンタの最大値を変更する（Ｓ３７）。例えば、最大値が２に変更される。
【０１０７】
メインＣＰＵ３１は、Ｓ３７の後、または、Ｓ３６においてボーナス作動中フラグがオンではないと判別したときには、メダルの通過は検出されたか否かを判別する（Ｓ３８）。メインＣＰＵ３１は、メダルの通過は検出されたと判別したときには、投入枚数カウンタは最大値に達したか否かを判別する（Ｓ３９）。メインＣＰＵ３１は、投入枚数カウンタは最大値に達していないと判別したときには、投入枚数カウンタを１加算する（Ｓ４０）。次に、メインＣＰＵ３１は、有効ラインカウンタに５を格納する（Ｓ４１）。次に、メインＣＰＵ３１は、メダル投入コマンドを副制御回路７２に対して送信する（Ｓ４２）。メダル投入コマンドは、投入枚数等を特定するためのパラメータを含んで構成されている。
【０１０８】
メインＣＰＵ３１は、Ｓ３９において投入枚数カウンタは最大値であると判別したときには、クレジットカウンタを１加算する（Ｓ４３）。メインＣＰＵ３１は、Ｓ４３の後、Ｓ４２の後、または、Ｓ３８においてメダルの通過が検出されていないと判別したときには、ベットスイッチ１２Ｓのチェックを行う（Ｓ４４）。ベットボタン１２に対応する数値が投入枚数カウンタに加算される一方でクレジットカウンタから減算される。
【０１０９】
次に、メインＣＰＵ３１は、投入枚数カウンタは最大値に達したか否かを判別する（Ｓ４５）。投入枚数カウンタは最大値に達していないと判別したときには、Ｓ３８に移る一方で、投入枚数カウンタは最大値に達したと判別したときには、スタートスイッチ６Ｓはオンであるか否かを判別する（Ｓ４６）。
【０１１０】
メインＣＰＵ３１は、スタートスイッチ６Ｓはオンではないと判別したときには、Ｓ３８に移る一方で、スタートスイッチ６Ｓはオンであると判別したときには、メダル通過禁止を行う（Ｓ４７）。セレクタのソレノイドの駆動が行われず、メダルの排出が促される。この処理が終了すると、メダル受付・スタートチェック処理を終了する。
【０１１１】
［内部抽籤処理］
次に、図１３を参照して、内部抽籤処理について説明する。はじめに、メインＣＰＵ３１は、内部抽籤テーブルおよび抽籤回数を決定する（Ｓ６１）。作動中フラグ格納領域が参照され、ボーナスの作動の有無等に応じて、内部抽籤テーブルおよび抽籤回数が決定される。尚、抽籤回数は、内部抽籤テーブルにより規定された各当籤番号について、抽籤値の減算および桁かりが生じたか否かの判定を行う回数を示す。
【０１１２】
次に、メインＣＰＵ３１は、乱数値格納領域に格納されている乱数値を取得し、判定用乱数値としてセットする（Ｓ６２）。次に、メインＣＰＵ３１は、当籤番号の初期値として１をセットする（Ｓ６３）。
【０１１３】
次に、メインＣＰＵ３１は、内部抽籤テーブルを参照し、当籤番号に対応する抽籤値を取得する（Ｓ６４）。次に、メインＣＰＵ３１は、判定用乱数値から抽籤値を減算する（Ｓ６５）。次に、メインＣＰＵ３１は、桁かりが行われたか否かを判別する（Ｓ６６）。メインＣＰＵ３１は、桁かりが行われていないと判別したときには、抽籤回数を１減算し、当籤番号を１加算する（Ｓ６７）。
【０１１４】
次に、メインＣＰＵ３１は、抽籤回数は０であるか否かを判別する（Ｓ６８）。メインＣＰＵ３１は、抽籤回数は０ではないと判別したときには、Ｓ６４に移る一方で、抽籤回数は０であると判別したときには、小役・リプレイ用データポインタとして０をセットし、ボーナス用データポインタとして０をセットする（Ｓ６９）。
【０１１５】
メインＣＰＵ３１は、Ｓ６６において桁かりが行われたと判別したときには、現在の当籤番号に応じて、小役・リプレイ用データポインタおよびボーナス用データポインタを取得する（Ｓ７０）。メインＣＰＵ３１は、Ｓ７０またはＳ６９の後で、小役・リプレイ用内部当籤役決定テーブルを参照し、小役・リプレイ用データポインタに基づいて内部当籤役を取得する（Ｓ７１）。
【０１１６】
次に、メインＣＰＵ３１は、取得した内部当籤役を内部当籤役格納領域に格納する（Ｓ７２）。次に、メインＣＰＵ３１は、持越役格納領域に格納されているデータは０であるか否かを判別する（Ｓ７３）。メインＣＰＵ３１は、持越役格納領域に格納されているデータは０であると判別したときは、ボーナス用内部当籤役決定テーブルを参照し、ボーナス用データポインタに基づいて内部当籤役を取得する（Ｓ７４）。次に、メインＣＰＵ３１は、取得した内部当籤役を持越役格納領域に格納する（Ｓ７５）。
【０１１７】
メインＣＰＵ３１は、Ｓ７５の後、または、Ｓ７３において持越役格納領域に格納されているデータは０ではないと判別したときには、持越役格納領域と内部当籤役格納領域との論理和をとり、その結果を内部当籤役格納領域に格納する（Ｓ７６）。つまり、ボーナスの作動に係る内部当籤役の持ち越しが行われる。この処理が終了すると、内部抽籤処理を終了する。
【０１１８】
［リール停止制御処理］
次に、図１４を参照して、リール停止制御処理について説明する。はじめに、メインＣＰＵ３１は、有効なストップボタンが押されたか否かを判別する（Ｓ１０１）。メインＣＰＵは、有効なストップボタンが押されていないと判別したときには、これが押されるまで待機する。
【０１１９】
メインＣＰＵは、有効なストップボタンが押されたと判別したときには、該当ストップボタンの操作を無効化する（Ｓ１０２）。各ストップボタンの有効および無効の状態は、メインＲＡＭに設けられた所定の格納領域において管理される。
【０１２０】
次に、メインＣＰＵは、チェック回数として５をセットする（Ｓ１０３）。本実施の形態では、滑り駒数の最大数を「４」としていることから、ストップボタンが押されたときに該当表示窓の中段にある図柄の位置を含め、そこから４個先の図柄の位置までがチェックの対象となる。つまり、「０」、「１」、「２」、「３」および「４」の５つの数値の何れかが滑り駒数として決定される。
【０１２１】
次に、メインＣＰＵは、内部当籤役に基づいて、ストップボタンが押されたときに該当表示窓の中段にある図柄の位置（以下、停止開始位置）を含めたチェック回数の範囲内にある各図柄の位置の中で、最も優先順位の高い図柄の位置を検索する（Ｓ１０４）。この処理では、内部当籤役によって表示が許可されている図柄の組合せを、入賞判定ライン沿って表示することが可能となる図柄の位置が、最も優先順位の高い図柄の位置として決定される。
【０１２２】
次に、メインＣＰＵは、検索の結果に基づいて滑り駒数を決定する（Ｓ１０５）。停止開始位置から上記最も優先順位の高い図柄の位置までの図柄の個数が滑り駒数として決定される。次に、メインＣＰＵは、停止予定位置待ちへ移行する（Ｓ１０６）。停止予定位置待ちへ移行すると、後述の割込処理によってステッピングモータの駆動が制御され、最も優先順位の高い図柄の位置が該当表示窓の中段に到達するのを待って該当リールの回転が停止される。
【０１２３】
次に、メインＣＰＵは、リール停止コマンドを副制御回路に対して送信する（Ｓ１０７）。リール停止コマンドは、停止したリールの種別等を特定するパラメータを含んで構成されている。
【０１２４】
次に、メインＣＰＵは、操作が有効なストップボタンがあるか否かを判別する（Ｓ１０８）。つまり、まだ回転中のリールがあるか否かが判別される。メインＣＰＵは、操作が有効なストップボタンがあると判別したときには、Ｓ１０１に移る一方で、操作が有効なストップボタンがないと判別したときには、リール停止制御処理を終了する。
【０１２５】
［副制御回路のサブＣＰＵの制御による処理］
次に、図１５〜図１７を参照して、副制御回路７２のサブＣＰＵ８１により実行される各種制御処理の内容について説明する。
【０１２６】
［報知制御処理１］
まず、図１５を参照して、サブＣＰＵ８１の制御による報知制御処理１について説明する。はじめに、サブＣＰＵ８１は、開閉検知ＣＰＵ１０６から開情報信号を受信したか否かを判別する（Ａ１）。サブＣＰＵ８１は、開情報信号を受信していないと判別したときには、開閉検知ＣＰＵ１０６から開情報信号を受信するまで待機する。一方、サブＣＰＵ８１は、開情報信号を受信したと判別したときには、スピーカー２１に報知信号を送信し、スピーカー２１による報知を開始する（Ａ２）。
【０１２７】
次に、サブＣＰＵ８１は、開閉検知ＣＰＵ１０６からカウント終了信号を受信したか否かを判別する（Ａ３）。サブＣＰＵ８１は、カウント終了信号を受信していないと判別したときには、スピーカー２１による報知を継続し（Ａ４）、開閉検知ＣＰＵ１０６からカウント終了信号を受信するまで待機する。一方、サブＣＰＵ８１は、カウント終了信号を受信したと判別したときには、スピーカー２１に停止信号を送信し、スピーカー２１による報知を停止する（Ａ５）。この処理が終了すると、報知制御処理１を終了する。
【０１２８】
［報知制御処理２］
次に、図１６を参照して、サブＣＰＵ８１の制御による報知制御処理２について説明する。はじめに、サブＣＰＵ８１は、開閉検知ＣＰＵ１０６から閉情報信号を受信したか否かを判別する（Ａ１１）。サブＣＰＵ８１は、閉情報信号を受信していないと判別したときには、開閉検知ＣＰＵ１０６から閉情報信号を受信するまで待機する。一方、サブＣＰＵ８１は、閉情報信号を受信したと判別したときには、スピーカー２１に停止信号を送信し、スピーカー２１による報知を停止する（Ａ１２）。この処理が終了すると、報知制御処理２を終了する。
【０１２９】
［信号受信停止処理］
次に、図１７を参照して、サブＣＰＵ８１の制御による信号受信停止処理について説明する。はじめに、サブＣＰＵ８１は、メインＣＰＵ３１からキー情報信号を受信したか否かを判別する（Ａ２１）。サブＣＰＵ８１は、キー情報信号を受信していないと判別したときには、メインＣＰＵ３１からキー情報信号を受信するまで待機する。一方、サブＣＰＵ８１は、キー情報信号を受信したと判別したときには、開閉検知ＣＰＵ１０６からの信号受信を停止する（Ａ２２）。この処理が終了すると、信号受信停止処理を終了する。
【０１３０】
［開閉検知装置の開閉検知ＣＰＵの制御による処理］
次に、図１８を参照して、開閉検知装置１００の開閉検知ＣＰＵ１０６により実行される処理の内容について説明する。
【０１３１】
［開動作判定処理］
図１８を参照して、開閉検知ＣＰＵ１０６の制御による開動作判定処理について説明する。はじめに、開閉検知ＣＰＵ１０６は、ジャイロスコープ１５０のＡ／Ｄ変換器１０５から、検知信号を受信したか否かを判別する（Ｂ１）。開閉検知ＣＰＵ１０６は、検知信号を受信していないと判別したときには、ジャイロスコープ１５０から検知信号を受信するまで待機する。一方、開閉検知ＣＰＵ１０６は、検知信号を受信したと判別したときには、検知信号に基づいて、フロントドア９の閉状態位置からの回動角度Θを算出する（Ｂ２）。
【０１３２】
次に、開閉検知ＣＰＵ１０６は、算出した回動角度Θが１０度以上であるか否かを判別する（Ｂ３）。なお、角度Θを１０度で判別する理由は、１０度の隙間では筐体内の機器に接触することができないため、即ち、１０度は不正行為を行うことが不可能な角度だからである。開閉検知ＣＰＵ１０６は、回動角度Θが１０度以上でないと判別したときには、サブＣＰＵ８１に閉情報信号を出力し（Ｂ４）、この処理を終了する。
【０１３３】
一方、開閉検知ＣＰＵ１０６は、回動角度Θが１０度以上であると判別したときには、サブＣＰＵ８１に開情報信号を出力する（Ｂ５）。その後、開閉検知ＣＰＵ１０６は、３分間の時間カウントを開始する（Ｂ６）。なお、カウント時間が３分間である理由は、不正行為が行われている時間は報知され、且つ、万一間違って報知されても煩わしいと感じる前に報知が終了できる程度の時間だからである。
【０１３４】
次に、開閉検知ＣＰＵ１０６は、カウント時間が３分間経過したか否かを判別する（Ｂ７）。開閉検知ＣＰＵ１０６は、カウント時間が３分間経過していないと判別したときには、カウントを継続する（Ｂ８）。一方、開閉検知ＣＰＵ１０６は、カウント時間が３分間経過したと判別したときには、サブＣＰＵ８１にカウント終了信号を出力する（Ｂ９）。この処理が終了すると、開動作判定処理を終了する。
【０１３５】
以上のパチスロ１における各種処理動作によれば、パチスロ１のフロントドア９に設けられたジャイロスコープ１５０により、フロントドア９が開閉する際の回動角度が検知され、検知されたフロントドア９の回動角度に基づき、開閉検知ＣＰＵ１０６によりフロントドア９の開閉状態が判断される。さらに、開閉検知ＣＰＵ１０６により、フロントドア９が開状態であると判断された場合に、スピーカー２１により外部に報知される。これにより、例えば不正行為者が、パチスロ１の管理者に無断で遊技の設定を変更するためにフロントドア９を開けた場合、スピーカー２１により外部に報知することができる。このように、不正行為者がフロントドア９を開けるだけで外部に報知されるため、不正行為を未然に防止することができる。また、ジャイロスコープ１５０は、設けられた設置面の傾きや移動などの際に生じる外力が加わることにより、その動作を検知できるため、フロントドア９の面内であればどこに設置していてもよい。そのため、簡易的に不正行為を防止することができる。さらに、例えばキャビネット内部側のフロントドア９に設置することにより、外部からの操作を防止することができるため、セキュリティ面も安全である。
【０１３６】
また、開閉検知ＣＰＵ１０６により、フロントドア９の開閉動作に基づき回動したジャイロスコープ１５０の所定の位置からの回動角度が算出される。さらに、算出されたジャイロスコープ１５０の回動角度がある所定の角度に達した場合に、フロントドア９が開状態であると判断され、スピーカー２１により外部に報知される。これにより、報知する所定の角度を、不正行為を行うことが不可能な角度に設定しておくことで、不正行為が行われるためにフロントドア９が開状態となった場合は報知する一方で、パチスロ１のガタつきや遊技中の衝撃でフロントドア９が多少開状態となった場合は報知せずに済むことができる。このように、不正行為が行われる場合のみ報知することができるため、他の遊技者の遊技の邪魔にならずに済むことができる。
【０１３７】
（本発明の実施の形態の概要）
以上のように、本実施の形態のパチスロ１は、開口部を有するキャビネット２と、キャビネット２に取り付けられ、回動することにより当該キャビネット２の開口部を開閉するフロントドア９と、フロントドア９に設けられ、当該フロントドア９の回動角度を検知するジャイロスコープ１５０と、ジャイロスコープ１５０により検知されたフロントドア９の回動角度に基づいて、当該フロントドア９の開閉状態を判断する開閉検知ＣＰＵ１０６と、フロントドア９が開状態である旨を外部に報知するスピーカー２１と、開閉検知ＣＰＵ１０６によりフロントドア９が開状態であると判断された場合に、スピーカー２１に報知させるサブＣＰＵ８１と、を備えたことを特徴とする。
【０１３８】
上記の構成によれば、パチスロ１のフロントドア９に設けられたジャイロスコープ１５０により、フロントドア９が開閉する際の回動角度が検知され、検知されたフロントドア９の回動角度に基づき、開閉検知ＣＰＵ１０６によりフロントドア９の開閉状態が判断される。さらに、開閉検知ＣＰＵ１０６により、フロントドア９が開状態であると判断された場合に、スピーカー２１により外部に報知される。これにより、例えば不正行為者が、パチスロ１の管理者に無断で遊技の設定を変更するためにフロントドア９を開けた場合、スピーカー２１により外部に報知することができる。このように、不正行為者がフロントドア９を開けるだけで外部に報知されるため、不正行為を未然に防止することができる。また、ジャイロスコープ１５０は、設けられた設置面の傾きや移動などの際に生じる外力が加わることにより、その動作を検知できるため、フロントドア９の面内であればどこに設置していてもよい。そのため、簡易的に不正行為を防止することができる。さらに、例えばキャビネット内部側のフロントドア９に設置することにより、外部からの操作を防止することができるため、セキュリティ面も安全である。
【０１３９】
また、本発明に係るパチスロ１において、ジャイロスコープ１５０は、電圧を加えると所定方向に振動する圧電振動体２０１を有しており、フロントドア９が開閉する動作において当該圧電振動体２０１に加わる外力を検出することにより、フロントドア９の回動角度を検知する振動型ジャイロスコープであってもよい。
【０１４０】
上記の構成によれば、振動型ジャイロスコープを用いてフロントドア９の動作を検知することができる。これにより、モーターやベアリングなどの複数の部品を必要としないため、小スペースであり、且つ安価に不正行為を防止することができる。
【０１４１】
また、本発明に係るパチスロ１において、ジャイロスコープ１５０は、フロントドア９の開閉に基づき回動し、開閉検知ＣＰＵ１０６は、ジャイロスコープ１５０の回動動作に基づき、所定の位置からの当該ジャイロスコープ１５０の回動角度を算出し、算出した当該回動角度が所定の角度に達した場合に、フロントドア９が開状態であると判断していてもよい。
【０１４２】
上記の構成によれば、開閉検知ＣＰＵ１０６により、フロントドア９の開閉動作に基づき回動したジャイロスコープ１５０の所定の位置からの回動角度が算出される。さらに、算出されたジャイロスコープ１５０の回動角度がある所定の角度に達した場合に、フロントドア９が開状態であると判断され、スピーカー２１により外部に報知される。これにより、報知する所定の角度を、不正行為を行うことが不可能な角度に設定しておくことで、不正行為が行われるためにフロントドア９が開状態となった場合は報知する一方で、パチスロ１のガタつきや遊技中の衝撃でフロントドア９が多少開状態となった場合は報知せずに済むことができる。このように、不正行為が行われる場合のみ報知することができるため、他の遊技者の遊技の邪魔にならずに済むことができる。
【０１４３】
（本実施形態の変形例）
以上、本発明を好適な実施の形態に基づいて説明したが、本発明はこれに限定されるものではなく、第１の実施形態における開閉検知センサ２００は、図１９に示す第２の実施形態における開閉検知センサ６００に置き換えて備えていてもよい。
【０１４４】
（第２の実施形態における開閉検知センサ）
図１９は、第２の実施形態における開閉検知センサ６００を示した図である。なお、図１９はパチスロ１を側面側（Ｘ軸方向）から視た図である。図１９に示すように、開閉検知センサ６００を備えたパチスロ１には、Ｌ字部材５０１がキャビネット２の内部に設けられている。なお、Ｌ字部材５０１はキャビネット２の天井面からフロントドア９の方向にＬ字を形成するように設けられている。フロントドア９の裏面（キャビネット２側）には、支持部材５０２が設けられており、ボルト５０３を介して土台部材５０４が設けられている。なお、土台部材５０４は、ボルト５０３を支点として、回動自在に支持部材５０２に設けられている。
【０１４５】
土台部材５０４の長辺側の平面には、開閉検知センサ６００が設けられている。本実施の第２の実施形態におけるジャイロスコープ１５０は、回転型ジャイロスコープであり、開閉検知センサ６００は、回転軸６０２と、回転軸６０２を中心軸として回転する回転体６０１と、を有している。なお、回転軸６０２は、土台部材５０４の平面に垂直となるように、土台部材５０４上に設けられている。また、回転体６０１は、土台部材５０４の平面に平行を保っている。なお、土台部材５０４は、フロントドア９との間に設けられたバネ５０５により接続されている。
【０１４６】
フロントドア９が閉状態時は、土台部材５０４がＬ字部材５０１に当接することにより、フロントドア９と土台部材５０４とが平行を保つようになる。即ち、フロントドア９が閉状態時は、開閉検知センサ６００の回転体６０１とフロントドア９とが平行を保つようになっている（図１９の上図参照）。
【０１４７】
ここで、フロントドア９を開閉する時に生じる張力Ｔにより、Ｌ字部材５０１
に当接していた土台部材５０４は、Ｌ字部材５０１から離れ、フロントドア９と平行を保たなくなる。即ち、フロントドア９が開状態時は、開閉検知センサ６００の回転体６０１とフロントドア９とが平行を保たなくなっている（図１９の下図参照）。つまり、フロントドア９が閉状態時と開状態時において、開閉検知センサ６００の回転体６０１は、角度Θ´だけ傾く。これにより生じる外力を検出することにより、フロントドア９の回動角度を検知することができるようになっている。
【０１４８】
このように、本発明に係るパチスロ１において、ジャイロスコープ１５０は、回転軸６０２と当該回転軸６０２を中心に回転する回転体６０１を有しており、フロントドア９が開閉する動作において当該回転体６０１に加わる外力を検出することにより、フロントドア９の動作を検知する回転型ジャイロスコープであってもよい。
【０１４９】
上記の構成によれば、回転型ジャイロスコープを用いてフロントドア９の動作を検知することができる。これにより、例えば大きくて重い回転体６０１を用いることにより、ジャイロスコープ１５０の検出感度をより高くすることができるため、正確に不正行為を防止することができる。
【０１５０】
また、本実施の形態において、報知手段はスピーカー２１を用いているが、本発明において、これに限定されることはなく、例えば、ランプ２９を点滅させることにより報知していてもよい。
【０１５１】
また、本実施の形態において、開閉検知ＣＰＵ１０６がフロントドア９の開閉状態を判断する回動角度の条件は１０度以上であるが、本発明において、これに限定されることはなく、不正行為を行うことが不可能な角度であれば、適宜設定可能である。
【０１５２】
また、本実施の形態において、開閉検知ＣＰＵ１０６がカウントする時間は３分間であるが、本発明において、これに限定されることはなく、不正行為が行われている時間は報知され、且つ、万一間違って報知されても煩わしいと感じる前に報知が終了できる程度の時間であれば、適宜設定可能である。
【０１５３】
以上、本発明の実施例を説明したが、具体例を例示したに過ぎず、特に本発明を限定するものではなく、具体的構成などは、適宜設計変更可能である。尚、発明の実施の形態に記載された、作用および効果は、本発明から生じる最も好適な作用および効果を列挙したに過ぎず、本発明の実施の形態に記載されたものに限定されるものではない。
【図面の簡単な説明】
【０１５４】
【図１】本実施の形態におけるパチスロの機能フローを示した図である。
【図２】本実施の形態におけるパチスロの構造を示す図である。
【図３】本実施の形態の開閉検知センサを示す図である。
【図４】閉状態時のキャビネットとフロントドアの態様を示した図である。
【図５】閉状態時の開閉検知センサの態様を示した図である。
【図６】開状態時のキャビネットとフロントドアの態様を示した図である。
【図７】開状態時の開閉検知センサの態様を示した図である。
【図８】パチスロの主制御回路の構成を示す図である。
【図９】パチスロの副制御回路の構成を示す図である。
【図１０】開閉検知装置の電気構成を示す図である。
【図１１】メインＣＰＵの制御によるメインフローチャートである。
【図１２】メインＣＰＵの制御によるメダル受付・スタートチェック処理を示す図である。
【図１３】メインＣＰＵの制御による内部抽籤処理を示す図である。
【図１４】メインＣＰＵの制御によるリール停止制御処理を示す図である。
【図１５】サブＣＰＵの制御による報知制御処理１を示す図である。
【図１６】サブＣＰＵの制御による報知制御処理２を示す図である。
【図１７】サブＣＰＵの制御による信号受信停止処理を示す図である。
【図１８】開閉検知ＣＰＵの制御による開動作判定処理を示す図である。
【図１９】第２の実施形態における開閉検知センサを示した図である。
【符号の説明】
【０１５５】
１  パチスロ
２  キャビネット
３Ｌ  左リール
３Ｃ  中リール
３Ｒ  右リール
４Ｌ  左表示窓
４Ｃ  中表示窓
４Ｒ  右表示窓
６  スタートレバー
７Ｌ  左ストップボタン
７Ｃ  中ストップボタン
７Ｒ  右ストップボタン
８  入賞判定ライン
９  フロントドア
１２  ベットボタン
１４  精算ボタン
１５  メダル排出口
１６  メダル受皿
１７  ７セグ表示器
１８  液晶表示装置
２１  スピーカー
２２  メダル投入口
２９  ランプ
４０  ホッパー
５０  電源装置
７１  主制御回路
１００  開閉検知装置
１５０  ジャイロスコープ
３００  キースイッチ
【図１】
2010099404.tif 000003
【図２】
2010099404.tif 000004
【図３】
2010099404.tif 000005
【図４】
2010099404.tif 000006
【図５】
2010099404.tif 000007
【図６】
2010099404.tif 000008
【図７】
2010099404.tif 000009
【図８】
2010099404.tif 000010
【図９】
2010099404.tif 000011
【図１０】
2010099404.tif 000012
【図１１】
2010099404.tif 000013
【図１２】
2010099404.tif 000014
【図１３】
2010099404.tif 000015
【図１４】
2010099404.tif 000016
【図１５】
2010099404.tif 000017
【図１６】
2010099404.tif 000018
【図１７】
2010099404.tif 000019
【図１８】
2010099404.tif 000020
【図１９】
2010099404.tif 000021